(57)【要約】【課題】端子部に液晶駆動用の電子部品を実装するＣＯＧ型液晶表示パネルにおいて、製造工程上で発生する静電気の放電対策を講ずるうえで好適な構成を提供する。【解決手段】端子部に液晶駆動用の電子部品を実装するＣＯＧ型液晶表示パネルにおいて、第１透明電極基板１００に形成されている例えば分割セクメント電極２３ａ，２３ｂをトランスファ手段を介して第２透明電極基板２００の端子部２０１，２０２にまで引き出し、第２透明電極基板に形成されている例えばコモン電極１３をトランスファ手段を介して第１透明電極基板１００の端子部１０１にまで引き出す構成とする。【選択図】    図１
2005024681.tif 000002
【特許請求の範囲】
【請求項１】
ともに端子部を備えていて、周辺シール材を介して互いに圧着される第１透明電極基板と第２透明電極基板とを含み、上記各端子部に液晶駆動用の電子部品が実装される液晶表示パネルにおいて、
上記第１透明電極基板側の端子部に、上記第２透明電極基板側の第２表示用電極に所定の駆動電圧を印加する第２電子部品が実装されるとともに、上記第２透明電極基板側の端子部に、上記第１透明電極基板側の第１表示用電極に所定の駆動電圧を印加する第１電子部品が実装され、
上記第１透明電極基板側の上記第１表示用電極が、上記第２透明電極基板側の端子部に実装される上記第１電子部品と第１トランスファ手段を介して接続され、上記第２透明電極基板側の上記第２表示用電極が、上記第１透明電極基板側の端子部に実装される上記第２電子部品と第２トランスファ手段を介して接続されることを特徴とする液晶表示パネル。
【請求項２】
上記第１表示用電極もしくは上記第２表示用電極の少なくとも一方の表示用電極が中央部分で２分割されている請求項１に記載の液晶表示パネル。
【発明の詳細な説明】
【０００１】
【発明の属する技術分野】
本発明は、端子部に液晶駆動用の電子部品が実装されるＣＯＧ（ｃｈｉｐ  ｏｎ  ｇｌａｓｓ）型の液晶表示パネルに関し、さらに詳しく言えば、製造工程上で発生する静電気の放電対策を講ずるうえで好適な構成を有する液晶表示パネルに関するものである。
【０００２】
【従来の技術】
液晶表示パネルの表示用電極は表示部内から端子部に直接もしくはトランスファ手段を介して引き出されるが、いずれにしても端子部に液晶駆動用の電子部品（例えばベアＩＣチップ）が実装されるＣＯＧ型の場合、その引出電極は端子部に形成されているチップ実装領域内で終端しているため、表示用電極に製造工程で発生する静電気が溜まりやすい。これを図２により説明する。
【０００３】
図２（ａ）は液晶表示パネルに含まれる一方の透明電極基板を示す模式図で、ここではコモン側電極基板１０とする。また、図２（ｂ）は液晶表示パネルに含まれる他方の透明電極基板を示す模式図で、ここではセグメント側電極基板２０とする。コモン側電極基板１０とセグメント側電極基板２０は、図示しない周辺シール材を介して内部に所定間隙を有するセルギャップが形成されるように互いに圧着されたのち、そのセルギャップ内に液晶物質が注入される。
【０００４】
この例において、コモン側電極基板１０は左辺側に連設された端子部１１を備え、端子部１１には図示しないベアＩＣチップが実装されるチップ実装領域１２が設けられている。図３に拡大して示すように、チップ実装領域１２内には、ベアＩＣチップの信号入力側端子に接続される信号入力側電極パッド１２ａと、ベアＩＣチップの信号出力側端子に接続される信号出力側電極パッド１２ｂとが形成されており、コモン側電極基板１０に群として形成されているコモン電極（コモン側表示用電極）１３は端子部１１に引き出されて信号出力側電極パッド１２ｂと接続される。
【０００５】
この例における液晶表示パネルには２分割画面駆動法が適用されており、そのため、セグメント側電極基板２０に群として形成されているセグメント電極（セグメント側表示用電極）２３には、中央部分で例えば上下に分割された一方のセグメント電極２３ａと他方のセグメント電極２３ｂとが含まれ、これに伴ってセグメント側電極基板２０の対向する２辺（この例では上辺と下辺）に端子部２１ａ，２１ｂが連設されている。
【０００６】
この各端子部２１ａ，２１ｂにも、それぞれチップ実装領域２２１，２２２が設けられている。図３を参照して、チップ実装領域２２１，２２２内には、上記チップ実装領域１２と同じく、信号入力側電極パッド２２１ａ，２２２ａと信号出力側電極パッド２２１ｂ，２２２ｂとが形成されており、一方のセグメント電極２３ａは端子部２２１に引き出されて信号出力側電極パッド２２１ｂと接続される。また、他方のセグメント電極２３ｂは端子部２２２に引き出されて信号出力側電極パッド２２２ｂと接続される。
【０００７】
液晶表示パネルを製造するにあたって、コモン側電極基板１０およびセグメント側電極基板２０は、それぞれマザー基板上で形成され周辺シール材を介して貼り合わされたのち、数回の切断工程を経て個々のパネルに切り出されるが、その製造工程のうち、特に配向膜のラビング工程で多量の静電気が発生する。
【０００８】
ＣＯＧ型以外の機種では、通常、コモンおよびセグメントの各電極が端子部の端縁にまで引き出されているため、マザー基板の余白部に上記各電極の引出配線と接続するグランドパターン（放電パターン）を形成することにより、各電極に帯電した静電気を放電もしくは各電極を同電位とすることができる。
【０００９】
しかしながら、ＣＯＧ型液晶表示パネルの場合、上記したようにコモン電極１３およびセグメント電極２３は、ともにその各一端がチップ実装領域内で途切れて終端しているため、上記のようにグランドパターンと接続して静電気を逃したり、各電極を同電位とすことができない。
【００１０】
逃げ場のない静電気は、その帯電量が多くなり閾値を超えると隣接する電極間で放電する。特に、この例のようにセグメント電極２３が分割されている場合、その分割セグメント電極２３ａ，２３ｂの突き合わせ部分で放電が多発する。この電極間での放電により、配向膜の損傷や電極の断線、電極間のリークなどが発生し、表示不良になることがある。
【００１１】
【発明が解決しようとする課題】
したがって、本発明の課題は、端子部に液晶駆動用の電子部品を実装するＣＯＧ型液晶表示パネルにおいて、製造工程上で発生する静電気の放電対策を講ずるうえで好適な構成を提供することにある。
【００１２】
【課題を解決するための手段】
上記課題を解決するため、本発明は、ともに端子部を備えていて、周辺シール材を介して互いに圧着される第１透明電極基板と第２透明電極基板とを含み、上記各端子部に液晶駆動用の電子部品が実装される液晶表示パネルにおいて、上記第１透明電極基板側の端子部に、上記第２透明電極基板側の第２表示用電極に所定の駆動電圧を印加する第２電子部品が実装されるとともに、上記第２透明電極基板側の端子部に、上記第１透明電極基板側の第１表示用電極に所定の駆動電圧を印加する第１電子部品が実装され、上記第１透明電極基板側の上記第１表示用電極が、上記第２透明電極基板側の端子部に実装される上記第１電子部品と第１トランスファ手段を介して接続され、上記第２透明電極基板側の上記第２表示用電極が、上記第１透明電極基板側の端子部に実装される上記第２電子部品と第２トランスファ手段を介して接続されることを特徴としている。
【００１３】
この構成によれば、第１透明電極基板と第２透明電極基板とをそれぞれマザー基板上で作製する際、第１表示用電極および第２表示用電極をマザー基板の余白部に形成されるグランドパターンと接続することが可能となる。本発明は、ＣＯＧ型液晶表示パネルのすべてに適用できるが、特に表示用電極が中央部分で２分割されている２分割画面駆動法による液晶表示パネルにとって好適である。
【００１４】
【発明の実施の形態】
次に、図１を参照して、本発明の実施形態について説明する。図１（ａ）は本発明の液晶表示パネルに含まれる第１透明電極基板１００を示す模式図で、図１（ｂ）はその相手方基板である第２透明電極基板２００を示す模式図である。なお、先の図２で説明した上記従来例と同一もしくは同一と見なされる構成要素には、それと同じ参照符号を用いる。
【００１５】
この実施形態に係る液晶表示パネルは、上記従来例と同じく２分割画面駆動法によるもので、第１透明電極基板１００には、中央部分で分割された分割セグメント電極２３ａ，２３ｂを含むセグメント電極（群）２３が形成されているが、この場合、第１透明電極基板１００は、１つの辺（この例では左辺）にのみ端子部１０１を備えている。
【００１６】
これに対して、第２透明電極基板２００には、コモン電極（群）１３が形成されており、第２透明電極基板２００は、対向する２辺（この例では上辺と下辺）に端子部２０１，２０２を備えている。
【００１７】
本発明はＣＯＧ型液晶表示パネルであることから、第１透明電極基板１００の端子部１０１は、チップ実装領域１２を備えており、このチップ実装領域１２には、第２透明電極基板２００側のコモン電極１３に対して駆動電圧を印加する液晶駆動用電子部品としての例えばベアＩＣチップが実装される。なお、この例においても、ベアＩＣチップ自体は図示しない。
【００１８】
また、第２透明電極基板２００の端子部２０１，２０２のうちの一方の端子部２０１には、第１透明電極基板１００側の一方の分割セグメント電極２３ａに対して駆動電圧を印加するベアＩＣチップが実装されるチップ実装領域２２１が設けられ、他方の端子部２０２には、第１透明電極基板１００側の他方の分割セグメント電極２３ｂに対して駆動電圧を印加するベアＩＣチップが実装されるチップ実装領域２２２が設けられている。
【００１９】
上記各チップ実装領域１２，２２１，２２２は、先に説明した図３の構成と同じであってよい。一方の分割セグメント電極２３ａはトランスファ手段を介してチップ実装領域２２１内の信号出力側電極パッド２２１ｂに接続され、他方の分割セグメント電極２３ｂもトランスファ手段を介してチップ実装領域２２２内の信号出力側電極パッド２２２ｂに接続される。また、コモン電極１３もトランスファ手段を介してチップ実装領域１２内の信号出力側電極パッド１２ｂに接続される。
【００２０】
その接続のため、第１透明電極基板１００側の分割セグメント電極２３ａ，２３ｂの各一端は、周辺シール材が塗布される部分にまで延ばされ、その端部にトランスファパッド２３ａ１，２３ｂ１をそれぞれ備えている。
【００２１】
これに対応して、第２透明電極基板２００側には、トランスファパッド２３ａ１と対をなすトランスファパッド２３ａ２およびトランスファパッド２３ｂ１と対をなすトランスファパッド２３ｂ２が形成されている。このトランスファパッド２３ａ２，２３ｂ２の各々は、チップ実装領域２２１，２２２内の信号出力側電極パッド２２１ｂ，２２２ｂに接続されている。
【００２２】
また、コモン電極１３の一端も周辺シール材が塗布される部分にまで延ばされ、その端部にトランスファパッド１３ａを備えている。これに対応して、第１透明電極基板１００側には、トランスファパッド１３ａと対をなすトランスファパッド１３ｂが形成され、このトランスファパッド１３ｂはチップ実装領域１２内の信号出力側電極パッド１２ｂに接続されている。
【００２３】
なお、トランスファ手段は図示しないが、第１透明電極基板１００と第２透明電極基板２００とを貼り合わせる同じく図示しない周辺シール材内に含まれる導電粒子もしくは柱状の導電フィラーであってよい。この例において、トランスファ手段は、ほぼ四角枠状に塗布される周辺シール材の４辺のうち、端子部１０１，２０１，２０２に沿った３辺に含まれる。なお、作図の都合上、各トランスファパッドは四角枠状のパターンとして描かれているが、表示用電極もしくはその引出線と同幅でそれらの一部分に含まれてよい。
【００２４】
このように、第１透明電極基板１００側の分割セグメント電極２３ａ，２３ｂをトランスファ手段を介して第２透明電極基板２００側の端子部２０１，２０２に引き出し、第２透明電極基板２００側のコモン電極１３を第１透明電極基板１００側の端子部１０１に引き出すようにしたことにより、第１透明電極基板１００をマザー基板上で作製する際、図１（ａ）に想像線で示すように、そのマザー基板の余白部（捨て基板）に各分割セグメント電極２３ａ，２３ｂにつながるグランドパターンＧＰ１を形成することができる。
【００２５】
同様に、第２透明電極基板２００をマザー基板上で作製する際、図１（ｂ）に想像線で示すように、そのマザー基板の余白部に各コモン電極１３につながるグランドパターンＧＰ２を形成することができる。したがって、グランドパターンＧＰ１，ＧＰ２を接地すれば各電極に帯電している静電気を放電させることができ、接地しない場合でも各電極を同電位にすることが可能となる。
【００２６】
ちなみに、セグメント電極を２分割した２分割画面駆動法による液晶表示パネルについて、図２に示す態様の従来構造の場合、生産品の約３０％が分割セグメント電極の突き合わせ部分での放電により不良となっていたが、本発明の構成を採用したことにより、放電による不良発生率はを０％にすることができた。
【００２７】
なお本発明は、２分割画面駆動法によるＣＯＧ型液晶表示パネルについて顕著な効果が得られるが、本発明はこれに限定されるものではなく、すべてのＣＯＧ型液晶表示パネルに適用可能である。
【００２８】
【発明の効果】
以上説明したように、本発明によれば、端子部に液晶駆動用の電子部品を実装するＣＯＧ型液晶表示パネルにおいて、一方の第１透明電極基板に形成されている例えばセクメント電極をトランスファ手段を介して他方の第２透明電極基板の端子部にまで引き出し、第２透明電極基板に形成されている例えばコモン電極をトランスファ手段を介して第１透明電極基板の端子部にまで引き出す構成としたことにより、第１透明電極基板と第２透明電極基板とをそれぞれマザー基板上で作製する際、セクメント電極およびコモン電極をマザー基板の余白部に形成されるグランドパターンと接続することが可能となり、電極間での静電気の放電による不良発生率を大幅に低減することができる。
【図面の簡単な説明】
【図１】（ａ）本発明のＣＯＧ型液晶表示パネルに含まれる第１透明電極基板を示す模式図、（ｂ）同ＣＯＧ型液晶表示パネルに含まれる第２透明電極基板を示す模式図。
【図２】（ａ）従来のＣＯＧ型液晶表示パネルに含まれる一方の透明電極基板を示す模式図、（ｂ）同ＣＯＧ型液晶表示パネルに含まれる他方の透明電極基板を示す模式図。
【図３】ＣＯＧ型液晶表示パネルのチップ実装領域の一例を示す模式図。
【符号の説明】
１００  第１透明電極基板
１０１  端子部
２００  第２透明電極基板
２０１，２０２  端子部
１３  コモン電極
２３  セグメント電極
２３ａ，２３ｂ  分割セグメント電極
１２，２２１，２２２  チップ実装領域
１３ａ，１３ｂ，２３ａ１，２３ａ２，２３ｂ１，２３ｂ２  トランスファパッド
ＧＰ１，ＧＰ２  グランドパターン
【図１】
2005024681.tif 000003
【図２】
2005024681.tif 000004
【図３】
2005024681.tif 000005